(57)【特許請求の範囲】
【請求項１】
基板と該基板に対して開閉可能に設けられた蓋体とを有してなる第１可動役物及び第２可動役物を有し、
前記第１可動役物及び前記第２可動役物は、所定方向に移動可能に支持された台座部に設けられ、
前記第１可動役物及び前記第２可動役物の各蓋体は、各端部から対応する基板側へ延びる連結部材を介して移動部材に連結され、
前記移動部材は、前記台座部の移動方向に沿って移動自在に設けられ、
前記連結部材は、対応する基板を超えて延びて前記連結部材の先端部が前記移動部材に回動自在に取り付けられるとともに、長手方向中間部が前記基板に設けられた軸部に回動自在に支持され、
各移動部材は、前記台座部の移動時に前記各移動部材の移動を異なる位置で規制する移動規制手段によって移動が規制されることを特徴とする遊技機の役物装置。
【請求項２】
前記移動規制手段は、各移動部材に設けられた係止ピンと、前記各移動部材を移動自在に支持する支持ケースに設けられて各移動部材の移動方向に沿って延びて対応する係止ピンを挿通する長孔を有し、
前記移動部材に対応する長孔の台座部移動方向先端側の各端部は、台座部移動方向に互いにずれた位置に設けられていることを特徴とする請求項１に記載の遊技機の役物装置。
【発明の詳細な説明】
【技術分野】
【０００１】
本発明は、複数の可動役物を備えた遊技機の役物装置に関する。
【背景技術】
【０００２】
遊技機の一種であるぱちんこ遊技機では、遊技盤に設けられた始動入賞口に遊技球が入賞すると、遊技盤に設けられた図柄表示装置に表示される図柄が変動を開始し、所定時間経過後に停止した図柄が予め定められた大当り図柄となった場合に大当り状態となり、遊技者が大量の賞球を獲得できるようになっている。このような遊技機では、遊技の興趣を向上させるため、図柄表示装置の表示内容に応じて遊技盤に設けられた役物が移動可能に構成されたものがある。
【０００３】
例えば、特許文献１には、大当りになると、図柄表示装置の表示内容に連動して役物を左右方向に移動させることが開示されている。また、特許文献２ には、図柄が所定の組合せになると、役物を遊技盤の前後方向に移動させることが開示されている。
【先行技術文献】
【特許文献】
【０００４】
【特許文献１】特開２００４−１９５０８４公報
【特許文献２】特開平０６−００７５０９号公報
【発明の開示】
【発明が解決しようとする課題】
【０００５】
しかし、上記特許文献に開示される役物は、いずれも同一方向（左右方向又は前後方向）のみに移動する構成であるため、役物の可動量や可動タイミングに変化を与えても似たような動き方となり、遊技者に退屈感を抱かせてしまい、興趣に欠けるという問題がある。
【０００６】
本発明は、このような問題を解決するものであり、従前とは異なる斬新な動きが可能で遊技者に興趣を与えることができる遊技機の役物装置を提供することを目的とする。
【課題を解決するための手段】
【０００７】
このような課題を解決するため、本発明は、基板と該基板に対して開閉可能に設けられた蓋体とを有してなる第１可動役物及び第２可動役物を有し、第１可動役物及び第２可動役物は、所定方向に移動可能に支持された台座部に設けられ、第１可動役物及び第２可動役物の各蓋体は、その端部から対応する基板側へ延びる連結部材を介して移動部材に連結され、移動部材は、台座部の移動方向に沿って移動自在に設けられ、連結部材は、対応する基板を超えて延びて連結部材の先端部が移動部材に回動自在に取り付けられるとともに、長手方向中間部が基板に設けられた軸部に回動自在に支持され、各移動部材は、台座部の移動時に各移動部材の移動を異なる位置で規制する移動規制手段（実施の形態における長孔３７，３８、係合ピン７１）によって移動が規制されることを特徴とする（請求項１）。
【０００８】
第１可動役物及び第２可動役物に設けられた基板と蓋体は、同一形状に限るものではなく、異なる形状や大きさを有していてもよい。台座部に設けられる第１可動役物及び第２可動役物は、台座部と別部品を構成して台座部に第１可動役物及び第２可動役物を取り付け、また台座部と基板を一体的に形成して蓋部を別部品としてもよい。
【０００９】
第１可動役物及び第２可動役物は台座部に設けられるので、台座部の移動に伴って、第１可動役物及び第２可動役物は台座部と共に同一方向に移動する。
【００１０】
移動部材は、連結部材を介して蓋体に連結される。このため、台座部の移動に伴って、移動部材は連結部材を介して移動する。台座部の移動方向は、遊技機に設けられる第１可動役物及び第２可動役物に応じて決められる。
【００１１】
連結部材は、対応する基板を超えて延びて連結部材の先端部が移動部材に回動自在に取り付けられるとともに、長手方向中間部が基板に設けられた軸部に回動自在に支持される。このため、蓋部は軸部を回動中心として基板に対して開閉可能である。
【００１２】
各移動部材は、移動規制手段によって台座部の移動時に各移動部材の移動を異なる位置で規制される。具体的には、移動規制手段は、各移動部材に設けられた係止ピンと、各移動部材を移動自在に支持する支持ケースに設けられて各移動部材の移動方向に沿って延びて対応する係止ピンを挿通する長孔を有し、移動部材に対応する長孔の台座部移動方向先端側の各端部は、台座部移動方向に互いにずれた位置に設けられている（請求項２）。
【００１３】
台座部が移動すると、台座部の移動とともに、第１可動役物、第２可動役物、移動部材も移動する。台座部の移動時に、長孔のうち台座部移動方向先端側端部が移動方向後側にずれた長孔に係合する係止ピンが長孔の先端側端部に当接すると、この係止ピンが設けられた移動部材の移動が停止する。その結果、連結部材の蓋体側は軸部を回動支点として台座部の移動方向先端側に回動して、蓋体は軸部を回動支点として回動して基板に対して開く。そして、台座部がさらに移動すると、長孔のうち台座部移動方向先端側端部が移動方向前側にずれた長孔に係合する係止ピンが長孔の先端側端部に当接すると、この係止ピンが設けられた移動部材の移動が停止し、この連結部材に連結された蓋体が開く。このように、台座部の移動に伴って第１可動役物及び第２可動役物が移動し、この移動時に先ず可動役物の一方の蓋体が開き，その後に他方の蓋体が開く。
【００１４】
このため、第１可動役物及び第２可動役物が異なる動きをしている印象を遊技者に与えることができ、遊技者に退屈感を抱かせることがなく、興趣に富んだ遊技機の役物装置を提供することができる。
【発明の効果】
【００１５】
本発明によれば、基板に対して開閉可能な蓋体を有する第１可動役物及び第２可動役物を有し、これらの可動役物は所定方向に移動可能に支持された台座部に設けられ、これら可動役物の各蓋体は、各端部から対応する基板側へ延びる連結部材を介して移動部材に連結され、移動部材は台座部の移動方向に沿って移動自在に設けられ、連結部材は、対応する基板を超えて延びて連結部材の先端部が移動部材に回動自在に取り付けられるとともに、長手方向中間部が基板に設けられた軸部に回動自在に支持され、各移動部材は、台座部の移動時に移動規制手段によって異なる位置で移動が規制されることにより、台座部の移動に伴って第１可動役物及び第２可動役物が移動時に、可動役物の一方の蓋体が開き，その後に他方の蓋体が開く。このため、第１可動役物及び第２可動役物が異なる動きをしている印象を遊技者に与えることができ、遊技者に退屈感を抱かせることがない興趣に富んだ遊技機の役物装置を提供することができる。
【図面の簡単な説明】
【００１６】
【図１】本発明の一実施の形態に係わる遊技機の役物装置の正面側の斜視図を示す。
【図２】本発明の一実施の形態に係わる遊技機の役物装置が設けられた遊技機の遊技盤の正面図を示す。
【図３】本発明の一実施の形態に係わる遊技機の役物装置の正面図を示す。
【図４】本発明の一実施の形態に係わる遊技機の役物装置の平面図を示す。
【図５】本発明の一実施の形態に係わる遊技機の役物装置の右側面図を示す。
【図６】本発明に係わる遊技機の役物装置の左側面図を示す。
【図７】本発明に係わる遊技機の役物装置の背面図を示す。
【図８】本発明に係わる遊技機の役物装置の正面側の内部構造図を示す。
【発明を実施するための形態】
【００１７】
以下、図面を用いて本発明を実施するための最良の形態を説明する。
【００１８】
図２（正面図）は、遊技機の遊技盤の上部に役物装置が配設された遊技機の構成例を示す。なお、遊技機は、ぱちんこ機を例にして説明するが、遊技機はぱちんこ機等の弾球遊技機に限るものではなく、スロットマシンでもよい。
【００１９】
初めに遊技機全体の説明をする。図２に示すように、遊技機１の前面側には正面視矩形状の前面ガラス３が設けられ、前面ガラス３の後方側には遊技盤５が配設されている。遊技盤５には、その中央部に図柄表示部７が配設され、図柄表示部７の下方には複数の入賞口９等が設けられ、図柄表示部７の上方には第１可動役物４０、第２可動役物５０等の複数の可動役物が配設されている。第１可動役物４０及び第２可動役物５０を駆動させる役物装置３０については後述する。図柄表示部７の周囲には図柄表示部７の中央側へ突出する装飾部材１１が設けられている。装飾部材１１は可動役物の前側に配設されているが、透明な材料で形成されているので、装飾部材１１を介して可動役物の視認が可能である。
【００２０】
前面ガラス３の下方には図示しない受け皿ユニットが配設され、受け皿ユニットの右側端部の下方には図示しない操作ハンドルが配設されている。この操作ハンドルは遊技者側へ突出し、遊技球を発射させる際に遊技者によって操作される。
【００２１】
役物装置には、図柄表示部７の上方の左右両側に配設された径の比較的に小さい第１可動役物４０及び第２可動役物５０を２つ並べてなる本願発明に係わる役物装置３０と、これらの役物装置３０の間に配設されて径の比較的に大きい第３可動役物８１を有した役物装置８０がある。
【００２２】
役物装置３０は、図１に示すように、箱状に形成された支持ケース３１と、支持ケース３１の前側に支持ケース幅方向に並設された第１可動役物４０及び第２可動役物５０と、これらの可動役物を動かす駆動部６０を有してなる。
【００２３】
支持ケース３１は直方体状に形成され、矩形状の天板部３１ａとこの下方に対向した配置された底板部３１ｂ（図７参照）と、天板部３１ａと底板部３１ｂの幅方向両端部同士を接続する側板部３１ｃ，３１ｄを有して中空に形成され、支持ケース３１の前側及び後側には開口部３１ｅ、３１ｆ（図７参照）が形成されている。天板部３１ａの前側は、支持ケース３１の幅方向両側に配置された側板部３１ｃ，３１ｄよりも前方に張り出している。
【００２４】
支持ケース３１内は、２つの仕切り板３２，３３によって３つの空間に仕切られ、これらの仕切り板３２，３３は支持ケース３１内を前後方向に延びて設けられている。これらの仕切り板３２，３３は、一対の側板部３１ｃ，３１ｄの各内面から内側方向に所定距離を有して配設されて、支持ケース３１内は支持ケース幅方向左側から右側に第１空間部３１ｇ、中央空間部３１ｈ、第２空間部３１ｉが形成されている。これの空間部３１ｇ、３１ｈ、３１ｉ内に駆動部６０を構成する部品の一部が収容される。
【００２５】
中央空間部３１ｈの前側には、図８（内部構造図）に示すように、天板部３１ａと底板部３１ｂとを接続して上下方向に延びる案内板３４が設けられている。案内板３４は中央空間部３１ｈの前側の開口部下側を覆うように配置された下側案内板３４ａと、下側案内板３４ａの上端中央部から上方へ延びて天板部３１ａに接続された下側案内板３４ａよりも幅の狭い上側案内板３４ｂを有してなる。
【００２６】
案内板３４は一対の側板部３１ｃ、３１ｄよりも前方に張り出す天板部３１ａ１（図５、図６参照）の下方であって２つの仕切り板３２，３３の前端部よりも前方に配置されている。このため、案内板３４と２つの仕切り板３２，３３の前端部との間には上下方向に延びる隙間３５（図５、図６参照）が形成されている。案内板３４の下側案内板３４ａには、図１，図８に示すように、これに装着されて下側案内板３４ａに沿って上下方向に移動自在に支持されて隙間３５内を移動可能な台座部３６が設けられている。この台座部３６に第１可動役物４０及び第２可動役物５０が取り付けられる。
【００２７】
仕切り板３２，３３及び一対の側板部３１ｃ、３１ｄには、上下方向に延びる長孔３７，３８（図５、図６参照）が設けられている。これらの長孔３７，３８のうち支持ケース幅方向左側の側板部３１ｃ及びこれに対向する仕切り板３２に設けられた長孔３７は、その上下方向長さが比較的に短く（図６参照）、支持ケース幅方向右側の側板部３１ｄ及びこれに対向する仕切り板３３に設けられた長孔３８はその上下方向長さが長孔３７よりも長く形成されている（図５参照）。これらの長孔３７，３８の詳細については後述する。
【００２８】
台座部３６は、下側案内板３４ａに挿通可能に形成され、下側案内板３４ａの前面に対向配置される前面部３６ａと、前面部３６ａの幅方向両側の各端部から下側案内板３４ａの幅方向端部外側を通って裏面側へ屈曲して下側案内板３４ａの裏面に沿って延びる側面部３６ｂと、側面部３６ｂの各裏面側に設けられて上下方向に延びる一対の係合部３６ｃ、３６ｄ（図７参照）を有してなる。台座部３６は、モータ６１の駆動によって上下方向に移動して、台座部３６が前側に張り出す天板部３１ａ１の裏面に接触する上方位置Ｐｕから底板部３１ｂの上面に接触する下方位置まで移動可能である。
【００２９】
台座部３６の表面に第１可動役物４０及び第２可動役物５０がねじ１５を介して取り付けられている。第１可動役物４０及び第２可動役物５０は、同一形状であるので、第１可動役物４０及び第２可動役物５０を一緒に説明する。第１可動役物４０及び第２可動役物５０は、正面視において左右に並んで配置され、円板状に形成された基板４１、５１と、基板４１、５１の表面側に配置されて基板４１、５１の下側に回動支点を中心として開閉可能に設けられる蓋体４２、５２を有してなる。
【００３０】
基板４１、５１は内側に空間部が形成されて基板後側が開口し、基板４１、５１内には、ＬＥＤ等の発光素子を実装したプリント板４３が配設されている。基板４１、５１は透明な合成樹脂材料製であるので、発光素子から発光した光は基板４１、５１を透過可能である。基板４１、５１の下部には、基板幅方向に所定距離を有して設けられた一対の切り欠き孔４１ａ，５１ａが設けられている。この切り欠き孔４１ａ，５１ａは、基板４１、５１に対して前後方向に貫通するとともに基板４１、５１の下側周面に開口している。この切り欠き孔４１ａ、５１ａに後述する蓋体４２、５２から延びる連結部材４４、５４（図５，図６参照）が挿抜されて蓋体４２、５２が開閉する。
【００３１】
一対の切り欠き孔４１ａの間の基板４１、５１には、基板４１、５１の裏面側へ突出する一対の突出部（図示せず）が設けられている。この突出部の先端部は横方向に延びる軸部４５，５５（図５，図６参照）が設けられている。この軸部４５，５５に連結部材４４、５４が回動自在に取り付けられて、蓋体４２，５２が開閉自在に支持されている。軸部４５，５５にはねじりコイルばねが挿着されて、蓋体４２，５２を閉方向に附勢している。突出部の詳細は後述する。
【００３２】
蓋体４２，５２は、円板状に形成された天板部４２ａ，５２ａとこの周囲から天板部一方側へ突出する周壁部４２ｂ，５２ｂを有して皿状に形成されている。蓋体４２，５２が基板４１、５１に対して閉じると、蓋体４２，５２の周壁部４２ｂ，５２ｂの先端部が基板４１、５１の周縁部に沿って当接するように、蓋体４２，５２は基板４１、５１の外径と略同じ寸法を有して形成されている。
【００３３】
蓋体４２，５２の端部の周壁部４２ｂ，５２ｂには、周壁部４２ｂ，５２ｂの周方向に所定間隔を有して蓋体４２，５２の天板部４２ａ，５２ａから開口外側へ張り出す一対の連結部材４４，５４が設けられている。連結部材４４，５４は、板状に形成され、天板部４２ａ，５２ａに対して略直交する方向に延びて開口外側へ張り出す直線部４４ａ，５４ａ（図５，図６参照）と、直線部４４ａ，５４ａの先端部から蓋体径方向外側へ屈曲して延びる屈曲部４４ｂ，５４ｂ（図５，図６参照）を有してなる。連結部材４４，５４は切り欠き孔４１ａ、５１ａに挿抜可能に切り欠き孔４１ａ、５１ａの幅よりも狭い厚さを有して形成されている。
【００３４】
第１可動役物４０と第２可動役物５０は、図３，図４に示すように、これらの上端部及び前面部が略同一平面上に配置され、これらの可動役物は基板４１，５１同士が近接配置された状態でこれらの間に配置された接続部１７を介して基板同士が一体的に繋がっている。接続部１７は、近接配置された両基板４１，５１の側面上部間に設けられ、この接続部１７は両基板４１，５１と一体的に形成されている。接続部１７はねじ１５を介して台座部３６に締結されて、第１可動役物４０及び第２可動役物５０の両基板４１，５１が台座部３６に固定されている。
【００３５】
モータ６１は、ステッピングモータであり、第１可動役物４０と第２可動役物５０を上方位置から下方位置に移動させる場合や、これとは逆方向に下方位置から上方位置に移動させる場合に駆動する。これらの可動役物を上方位置から下方位置に移動させる場合には、可動役物が上方位置に移動している時のモータ６１の軸部６１ａの位置に対して、可動役物が下方位置に移動している時のモータ６１の軸部６１ａの回転量を設定し、その設定量に達したときにモータ６１への電力供給を停止するようにする。
【００３６】
また、これらの可動役物を下方位置から上方位置に移動させる場合には、可動役物が下方位置に移動している時のモータ６１の軸部６１ａの位置に対して、可動役物が上方位置に移動してい時のモータ６１の軸部６１ａの回転量を設定し、その設定量に達したときにモータ６１への電力供給を停止するようにする。
【００３７】
一対の係合部３６ｃ、３６ｄは、図７に示すように、略同じ大きさの筒状に形成され、台座部３６の幅方向に対して左右対称に配置されるとともに、係合部３６ｃ、３６ｄの上端面が台座部３６（図８参照）の上端面と略同一平面上に位置するように配置されている。これら係合部３６ｃ、３６ｄのうち仕切り板３３側の係合部３６ｄ内には内側へ突出する突起部３６ｅが複数設けられている。この突起部３６ｅは中央空間部３１ｈ内の仕切り板３３側に設けられた駆動軸６２の螺旋溝６２ａに係合して、駆動軸６２の回転に伴って螺旋溝６２ａに沿って移動して係合部３６ｄを介して台座部３６を上下方向に移動させる。駆動軸６２は、駆動部６０の一部を構成し、支持ケース３１に回転自在に支持され、駆動軸６２の表面に上下方向に延びる螺旋溝６２ａが形成されている。
【００３８】
仕切り板３２側の係合部３６ｃは、中央空間部３１ｈの仕切り板３２側の支持ケース３１に上下方向に延びて支持された案内軸６３に移動可能に挿通されている。この係合部３６ｃは、もう一つの係合部３６ｄと相まって台座部３６が幅方向に傾くのを防止している。
【００３９】
駆動軸６２の上端部は支持ケース３１の天板部３１ａから上方へ突出し、その上端部に従動ギヤ６４が駆動軸６２と共に回転可能に取り付けられている。この従動ギヤ６４は、天板部３１ａに支持されたモータ６１の軸部６１ａに取り付けられ駆動ギヤ６５と歯合している。このため、モータ６１が駆動すると、モータ６１の動力は駆動ギヤ６５、従動ギヤ６４、駆動軸６２を介して台座部３６に伝達されて、第１可動役物４０及び第２可動役物５０を支持ケース３１に対して上下方向に移動可能である。
【００４０】
このように上下移動可能な第１可動役物４０と第２可動役物５０の蓋体４２，５２に設けられた連結部材４４，５４（屈曲部４４ｂ，５４ｂ）の各先端部には、図５、図６、図８に示すように、第１空間部３１ｇ及び第２空間部３１ｉ内に配置された移動部材７０が接続されている。
【００４１】
移動部材７０は、側板部３１ｃ、３１ｄとこれに対向する仕切り板３２，３３に設けられた長孔３７，３８に係合ピン７１が係合して長孔３７，３８に沿って移動自在な基端側移動部７２と、基端側移動部７２に対して下方側へ突出入可能に支持された先端側移動部７３を有してなる。基端側移動部７２と先端側移動部７３との間には引っ張りばね７４（図７参照）が取り付けられ、引っ張りばね７４によって先端側移動部７３は基端側移動部７２側に附勢されている。
【００４２】
先端側移動部７３の下端部に連結部材４４，５４の屈曲部４４ｂ、５４ｂの先端部が回動自在に取り付けられている。基端側移動部７２の上端部の幅方向両側には外側へ突出する係合ピン７１が設けられている。これらの係合ピン７１は、対応する長孔３７，３８に挿入されて基端側移動部７２の上下移動を可能にしている。
【００４３】
支持ケース３１の幅方向左側に配置された側板部３１ｃとこれに対向配置された仕切り板３２に、上下方向に延びる長孔３７が設けられている。この長孔３７の上下方向の長さＡは後述する支持ケース３１の幅方向右側に配置された側板部３１ｄやこれに対向配置された仕切り板３３に設けられた長孔３８の長さＢよりも短い長さを有している。
【００４４】
これらの長孔３７，３８の上端部は、台座部３６や係合部３６ｃ、３６ｄの上面が天板部３１ａの裏面に当接して台座部３６の移動が規制されたときに係合ピン７１が長孔３７，３８の上端部に当接可能な位置に配置されている。このため、台座部３６や係合部３６ｃ、３６ｄの上面が天板部３１ａの裏面に当接すると、係合ピン７１も長孔３７，３８の上端部に当接して移動部材７０の上方への移動が規制される。つまり、駆動部６０は、モータ６１と駆動ギヤ６４と従動ギヤ６５と駆動軸６２を有してなる。
【００４５】
このように構成された役物装置３０は、台座部３６が天板部３１ａの裏面に当接した上方位置Ｐｕに移動した状態でモータ６１が駆動すると、モータ６１の動力は、駆動歯車６５、従動歯車６４を介して駆動軸６２に伝達されて、駆動軸６２が所定方向に回転する。駆動軸６２が回転すると、一方の係合部３６ｄが駆動軸６２に対して下方へ移動し、これに伴って他方の係合部３６ｃも案内軸６３に沿って下方へ移動する。その結果、台座部３６が下方へ移動するに伴い、第１可動役物４０及び第２可動役物５０も下方へ移動する。
【００４６】
第１可動役物４０及び第２可動役物５０が下方へ移動すると、これらの可動役物に対応する移動部材７０も下方へ移動する。これら可動役物の移動時に長さの短い長孔３７内を移動する係止ピン７１が長孔３７の下端部に当接すると、この係止ピン７１が設けられた移動部材７０の移動が停止する。
【００４７】
そして、さらに可動役物が下方へ移動すると、移動部材７０に連結された連結部材４４の蓋体側が軸部４５を回動支点として台座部３６の移動方向先端側（下側）に回動して、蓋体４２は軸部４５を回動支点として基板４１に対して開動作する。そして、さらに台座部３６が下方へ移動すると、基端側移動部７２に対して先端側移動部７３が引っ張りばね７４の附勢に抗して下方へ伸長するとともに、連結部材４４が下方へ回動して蓋体４２がさらに開き、台座部３６が底板部３１ｂの上面に当接すると、蓋体４２は全開状態になって停止する（図１参照）。
【００４８】
一方、台座部３６の下方への移動時に長さの長い長孔３８内を移動する係止ピン７１が長孔３８の下端部に当接すると（図１参照）、この係止ピン７１が設けられた移動部材７０の移動が停止し、さらに台座部３６が下方へ移動すると、移動部材７０に連結された連結部材５４の蓋体側が軸部５５を回動支点として台座部３６の移動方向先端側（下側）に回動して、蓋体５２は軸部５５を回動支点として基板５１に対して開動作する。そして、台座部３６がさらに下方へ移動すると、連結部材５４のさらなる下方への回動にともなって蓋体５２がさらに開く。そして、台座部３６がさらに下方へ移動して係合部３６ｄや台座部３６の下面が底板部３１ｂに当接すると、蓋体５２が全開状態で停止する。
【００４９】
また役物装置３０の台座部３６を下方位置から上方位置Ｐｕに移動させるには、モータ６１の軸部６１ａが逆方向に回転するように駆動させる。モータ６１が駆動すると、台座部３６が支持ケース３１に対して上方に移動し、これに伴って第２可動役物５０に対応する移動部材７０と連結部材５４との回動支点を中心として連結部材５４が上方へ回動して蓋体５２が閉動作する。
【００５０】
そして、さらに台座部３６が上方へ移動すると、蓋体５２がさらに閉じるとともに、第１可動役物４０に対応する移動部材７０が縮小する。この移動部材７０が全縮状態になると、台座部３６の上方への移動に伴って第１可動役物４０の蓋体４２が閉動作する。そして、台座部３６がさらに上方へ移動すると、第２可動役物５０の蓋体５２が閉じた状態になり、その後に第１可動役物４０の蓋体４２が閉じた状態になる。そして、係合部３６ｃ、３６ｄや台座部３６の上面が天板部３１ａに当接すると、第１可動役物４０及び第２可動役物５０の上方への移動が停止する。
【００５１】
このように、第１可動役物４０及び第２可動役物５０の下方への移動時に、先ず、第１可動役物４０の蓋体４２の開動作が始まり、次に第２可動役物５０の蓋体５２の開動作が始まる。このため、これらの可動役物が異なる動きをしている印象を遊技者に与えることができる。従って、遊技者に退屈感を抱かせることがなく、興趣に富んだ遊技機の役物装置３０を提供することができる。
【符号の説明】
【００５２】
１  遊技機
３１  支持ケース
３６  台座部
３７，３８  長孔（移動規制手段）
４０  第１可動部材
４１，５１  基板
４２、５２  蓋体
４４，５４  連結部材
４５，５５  軸部
５０  第２可動部材
７０  移動部材
７１  係合ピン（移動規制手段）
【図１】
0005455051.tif 000002
【図２】
0005455051.tif 000003
【図３】
0005455051.tif 000004
【図４】
0005455051.tif 000005
【図５】
0005455051.tif 000006
【図６】
0005455051.tif 000007
【図７】
0005455051.tif 000008
【図８】
0005455051.tif 000009